(57)【要約】    【課題】      対象機器の電池の残量が少なくなって回路に供給される電圧が低下した場合に無線認証ユニットによる警報の音の発生を停止すること。    【解決手段】  無線認証部１２０は、対象機器に電力を供給する電池の残量を検出して電池残量検出値を生成し、前記電池残量検出値が所定の閾値以下である時に電池残量減少信号を前記無線通信ユニットに通知し、かつ、前記電池からの前記対象機器への電力の供給を停止する。無線通信ユニット１１０は、前記電池残量減少信号を受けた時に前記警報を音で通知しないで振動又は光で通知するマナーモードを設定し、前記電池残量減少信号を所定時間以上において受けない時に前記マナーモードを解除して前記警報を音で通知する通常モードを設定する。  【選択図】      図１
2007019749.tif 000002
【特許請求の範囲】
【請求項１】
第１の送信器と第１の受信器とを有し前記第１の送信器が識別コード信号を一定の強度で送信する無線通信ユニットと、
対象機器に付設され第２の受信器と第２の送信器とを有する無線認証部と、を具備し、
前記無線認証部は、前記無線通信ユニットからの前記識別コード信号が自己のものである場合に前記第２の送信器が前記識別コード信号を受けたことを示す確認コード信号を一定の強度で送信すると共に前記識別コード信号の受信レベルが所定値より大きい時に使用制限を解除する使用制限解除信号を前記対象機器及び前記無線通信ユニットに送信し、かつ、前記識別コード信号の受信レベルが前記所定値以下となった時に前記使用制限解除信号の送信を停止し、
前記無線通信ユニットは、前記無線認証部からの前記使用制限解除信号を受けなくなった時に警報を通知する機器の使用制限システムにおいて、
前記無線認証部は、前記対象機器に電力を供給する電池の残量を検出して電池残量検出値を生成する電池残量検出手段と、
前記電池残量検出値が所定の閾値以下である時に電池残量減少信号を前記無線通信ユニットに通知する電池残量減少通知手段と、
前記電池残量検出値が前記所定の閾値以下である時に前記電池からの前記対象機器への電力の供給を停止する電力供給停止手段と、を具備し、
前記無線通信ユニットは、前記電池残量減少信号を受けた時に前記警報を音で通知しないで振動又は光で通知するマナーモードを設定するマナーモード設定手段と、
前記電池残量減少信号を所定時間以上において受けない時に前記マナーモードを解除して前記警報を音で通知する通常モードを設定するマナーモード解除手段と、を具備する機器の使用制限システム。
【請求項２】
第１の送信器と第１の受信器とを有し前記第１の送信器が識別コード信号を一定の強度で送信する無線通信ユニットと、
対象機器に付設され第２の受信器と第２の送信器とを有する無線認証部と、を具備し、
前記無線認証部は、前記無線通信ユニットからの前記識別コード信号が自己のものである場合に前記第２の送信器が前記識別コード信号を受けたことを示す確認コード信号を一定の強度で送信すると共に前記識別コード信号の受信レベルが所定値より大きい時に使用制限を解除する使用制限解除信号を前記対象機器及び前記無線通信ユニットに送信し、かつ、前記識別コード信号の受信レベルが前記所定値以下となった時に前記使用制限解除信号の送信を停止し、
前記無線通信ユニットは、前記無線認証部からの前記使用制限解除信号を受けなくなった時に警報を通知する機器の使用制限システムにおける機器の使用制限方法であって、
前記無線認証部が前記対象機器に電力を供給する電池の残量を検出して電池残量検出値を生成する電池残量検出ステップと、
前記電池残量検出値が所定の閾値以下である時に前記無線認証部が電池残量減少信号を前記無線通信ユニットに通知する電池残量減少通知ステップと、
前記電池残量検出値が前記所定の閾値以下である時に前記電池からの前記対象機器への電力の供給を停止する電力供給停止ステップと、
前記無線通信ユニットが前記電池残量減少信号を受けた時に前記警報を音で通知しないで振動又は光で通知するマナーモードを設定するマナーモード設定ステップと、
前記無線通信ユニットが前記電池残量減少信号を所定時間以上において受けない時に前記マナーモードを解除して前記警報を音で通知する通常モードを設定するマナーモード解除ステップと、を具備する機器の使用制限方法。
【発明の詳細な説明】
【技術分野】
【０００１】
本発明は、携帯電話機などの各種の機器が置き忘れ又は盗難などにより無断使用をされることを防止する機器の使用制限システム及び使用制限方法に関する。
【背景技術】
【０００２】
従来の機器の使用制限システムとして、特許文献１に記載されたものがある。この従来の機器の使用制限システムは、第１の送信器と第１の受信器とを有し前記第１の送信器が識別コード信号を一定の強度で送信する無線通信ユニットと、対象機器に付設され第２の受信器と第２の送信器とを有する無線認証部と、を具備し、前記無線通信ユニットと前記無線認証部とが一定距離以上だけ離れた場合に前記無線認証部が対象機器の使用を不能とし、かつ、前記無線通信ユニットが警報を音で通知するものである。
【０００３】
すなわち、前記従来の機器の使用制限システムは、置き忘れ又は盗難などにより携帯電話機などの対象機器が所有者又は使用者の手元から離れると対象機器そのものの使用を不能にすると共に対象機器が一定距離以上だけ離れたことを音で警告するものである。  
【特許文献１】特許第２９３１２７６号公報
【発明の開示】
【発明が解決しようとする課題】
【０００４】
しかしながら、従来の機器の使用制限システムにおいては、携帯電話機などの対象機器と無線認証ユニットが無線認証を行っている時に、対象機器の電池の残量が少なくなると、回路に供給される電圧が低下して動作が不安定になるため、特に、高い消費電力を必要とする回路を動作させた場合に急激に電圧が降下するため、対象機器の無線認証部も一時的に動作せずに認証信号が送信できない場合があり、この場合にも無線認証ユニットが警報の音を発生してしまうので、ユーザが煩わしく感じてしまうという問題がある。
【０００５】
本発明の目的は、対象機器に付設された無線認証部と無線認証ユニットが無線認証を行っている時に、対象機器の電池の残量が少なくなって回路に供給される電圧が低下した場合に無線認証ユニットによる警報の音の発生を停止することができる機器の使用制限システム及び使用制限方法を提供することにある。
【課題を解決するための手段】
【０００６】
本発明は、第１の送信器と第１の受信器とを有し前記第１の送信器が識別コード信号を一定の強度で送信する無線通信ユニットと、対象機器に付設され第２の受信器と第２の送信器とを有する無線認証部と、を具備し、前記無線認証部は、前記無線通信ユニットからの前記識別コード信号が自己のものである場合に前記第２の送信器が前記識別コード信号を受けたことを示す確認コード信号を一定の強度で送信すると共に前記識別コード信号の受信レベルが所定値より大きい時に使用制限を解除する使用制限解除信号を前記対象機器及び前記無線通信ユニットに送信し、かつ、前記識別コード信号の受信レベルが前記所定値以下となった時に前記使用制限解除信号の送信を停止し、前記無線通信ユニットは、前記無線認証部からの前記使用制限解除信号を受けなくなった時に警報を通知する機器の使用制限システムにおいて、前記無線認証部は、前記対象機器に電力を供給する電池の残量を検出して電池残量検出値を生成する電池残量検出手段と、前記電池残量検出値が所定の閾値以下である時に電池残量減少信号を前記無線通信ユニットに通知する電池残量減少通知手段と、前記電池残量検出値が前記所定の閾値以下である時に前記電池からの前記対象機器への電力の供給を停止する電力供給停止手段と、を具備し、前記無線通信ユニットは、前記電池残量減少信号を受けた時に前記警報を音で通知しないで振動又は光で通知するマナーモードを設定するマナーモード設定手段と、前記電池残量減少信号を所定時間以上において受けない時に前記マナーモードを解除して前記警報を音で通知する通常モードを設定するマナーモード解除手段と、を具備する構成を採る。
【発明の効果】
【０００７】
本発明によれば、無線認証部は、対象機器に電力を供給する電池の残量を検出して電池残量検出値を生成し、前記電池残量検出値が所定の閾値以下である時に電池残量減少信号を無線通信ユニットに通知し、前記電池残量検出値が前記所定の閾値以下である時に前記電池からの前記対象機器への電力の供給を停止し、前記無線通信ユニットは、前記電池残量減少信号を受けた時に前記警報を音で通知しないで振動又は光で通知するマナーモードを設定するため、前記対象機器に付設された前記無線認証部と前記無線認証ユニットが無線認証を行っている時に、前記対象機器の電池の残量が少なくなって回路に供給される電圧が低下した場合に前記無線認証ユニットによる警報の音の発生を停止することができる。
【発明を実施するための最良の形態】
【０００８】
次に、本発明の実施の形態について、図面を参照して詳細に説明する。
【０００９】
（一実施の形態）
図１は、本発明の一実施の形態に係る機器の使用制限システムの構成を示すブロック図である。
【００１０】
図１に示すように、本発明の一実施の形態に係る機器の使用制限システム１００は、無線通信ユニット（キー通信ユニット）１１０及び無線認証部１２０と、を具備している。
【００１１】
無線認証部１２０は、対象機器の１つである携帯端末装置１３０の内部に一体的に付設されている。なお、無線認証部１２０は、携帯端末装置１３０の外側に付設されてもよい。
【００１２】
無線通信ユニット１１０は、無線認証部１２０及び携帯端末装置１３０とは分離されている。無線通信ユニット１１０は、キー又はカードなどの所有者にとって持ち運びに便利なもので構成されているが、特にその形態は限定されない。
【００１３】
携帯端末装置１３０は、従来の一般的なものであり、基地局を介して相手の通信装置と無線で通信を行うことが可能である。携帯端末装置１３０は、アンテナ１３１、送受信部１３２、制御部１３３、操作入力部１３４、スピーカ１３５、振動部１３６、表示部１３７、マイクロフォン１３８、送信データ生成部１３９及び電池１３００などを具備している。
【００１４】
電池１３００は、受信部１３２、制御部１３３、操作入力部１３４、スピーカ１３５、振動部１３６、表示部１３７、マイクロフォン１３８、送信データ生成部１３９及び無線認証部１２０に電力を供給するものである。
【００１５】
アンテナ１３１は、相手の通信装置からの信号を基地局を介して受信して受信信号を生成して送受信部１３２に与える。送受信部１３２は、アンテナ１３１からの受信信号を受けて制御部１３３に与える。また、送受信部１３２は、送信信号をアンテナ１３１に与える。アンテナ１３１は、送受信部１３２からの送信信号を受けて無線の送信信号を生成して送信する。
【００１６】
操作入力部１３４は、テンキー及び操作キーを具備し、ユーザが操作信号を入力するためのものである。操作入力部１３４からの操作信号は、制御部１３３に与えられる。操作入力部１３４は、携帯端末装置１３０をＯＦＦモード、通常モード及びマナーモードなどを設定することが可能である。
【００１７】
ここで、ＯＦＦモードとは、携帯端末装置１３０における制御情報及び着信動作以外の通信動作が不可能なモードである。通常モードとは、着信を通知するためのスピーカ１３５を動作させて音で通知するモードである。マナーモードとは、着信を通知するための音を発生しないで、振動部１３６又は表示部１３７を動作させて着信を振動又は光で通知するモードである。
【００１８】
制御部１３３は、操作入力部１３４からの操作信号に基づいて、送受信部１３２、スピーカ１３５、振動部１３６、表示部１３７、マイクロフォン１３８及び送信データ生成部１３９などを制御する。
【００１９】
例えば、制御部１３３は、通常モードに設定されている時に、操作入力部１３４からの操作信号に基づいて、送受信部１３２からの着信信号をスピーカ１３５に与えて動作させて当該着信信号を示す音（音声）を発生させてユーザに通知させる。また、制御部１３３は、通常モードに設定されている時に、操作入力部１３４からの操作信号に基づいて、送受信部１３２からの制御情報及び着信信号以外の受信信号をスピーカ１３５に与えて受信信号に対応する音声を発生させてユーザに通知させる。
【００２０】
また、制御部１３３は、マナーモードに設定されている時に、操作入力部１３４からの操作信号に基づいて、着信を通知するための音を発生しないで、振動部１３６又は表示部１３７を動作させて着信を振動又は光で通知させる。また、制御部１３３は、操作入力部１３４からの操作信号に基づいて、マイクロフォン１３８からの信号を送受信部１３２に与えてアンテナ１３１を介して送信する。制御部１３３は、操作入力部１３４からの操作信号に基づいて、送信データ生成部１３９により生成された送信データを送受信部１３２に与えてアンテナ１３１を介して送信する。
【００２１】
無線通信ユニット１１０は、アンテナ１１１、無線認証部１１２、選択部１１３、警報通知部１１４及び電池１１５を具備している。無線認証部１１２は、送受信部１１２１、ＩＤ記憶部１１２２及び制御部１１２３を具備している。警報通知部１１４は、スピーカ１１４１、振動部１１４２及び表示部１１４３を具備している。電池１１５は、無線認証部１１２、選択部１１３及び警報通知部１１４に電力を供給するものである。
【００２２】
ＩＤ記憶部１１２２は、識別コード信号を予め記憶している。この識別コード信号は、無線通信ユニット１１０を特定する自己識別記号（ＩＤ）と、当該無線通信ユニット１１０と対応する携帯端末装置１３０を特定する相手方の識別記号とを有している。
【００２３】
制御部１１２３は、ＩＤ記憶部１１２２から識別コード信号を定期的に読み出してサーチ信号として送受信部１１２１及びアンテナ１１１を介して携帯端末装置１３０に付設された無線認証部１２０に一定の強度で送信する。送受信部１１２１は、携帯端末装置１３０に付設された無線認証部１２０からの情報をアンテナ１１１を介して受けて制御部１１２３に与える。サーチ信号は無線認証部１２０からの応答信号を受信するまで、定期的に送信される。
【００２４】
また、制御部１１２３は、携帯端末装置１３０に付設された無線認証部１２０から応答信号（確認コード信号）をアンテナ１１１及び送受信部１１２１を介して受けた時に、当該応答信号とＩＤ記憶部１１２２の識別コード信号と照合して当該応答信号が自己のものである場合に、制御部１１２３で生成された乱数を暗号化した認証信号を携帯端末装置１３０に付設された無線認証部１２０に一定の強度で送信する。これに対する無線認証部１２０からの認証信号を受信すると、前記認証信号に含まれる乱数と制御部１１２３で生成された乱数とを比較し、正しい相手からの認証信号かどうか判断する。この認証信号は、認証状態が継続している間、定期的に送信され、制御部１１２３で生成された乱数は毎回異なるものである。前記認証信号は、他の周知の方法で生成してもよい。
【００２５】
携帯端末装置１３０に付設された無線認証部１２０は、アンテナ１２１、送受信部１２２、設定モード記憶部１２３、ＩＤ記憶部１２４、制御部１２５及び電池残量検出部１２６を具備している。
【００２６】
設定モード記憶部１２３は、ユーザが操作入力部１３４を用いて設定するＯＦＦモード、通常モード及びマナーモードなどの設定モードを制御部１３３，１２５の制御により記憶する。例えば、設定モード記憶部１２３は、図２に示すように、携帯端末装置１３０が通常モードに設定されている場合に無線通信ユニット１００の警報通知モードとして音モードを記憶する。また、設定モード記憶部１２３は、携帯端末装置１３０がマナーモードに設定されている場合に無線通信ユニット１００の警報通知モードとして振動モードを記憶する。また、設定モード記憶部１２３は、携帯端末装置１３０が電源がＯＦＦモードに設定されている場合に無線通信ユニット１００の警報通知モードとして光モードを記憶する。
【００２７】
制御部１２５は、設定モード記憶部１２３に設定されているモードの情報を必要時に送受信部１１２１及びアンテナ１１１を介して無線通信ユニット１１０に送信する。例えば、制御部１２５は、設定モード記憶部１２３に通常モードが記憶されている時に、設定通常モード通知信号を生成して無線通信ユニット１１０に送信する。また、制御部１２５は、設定モード記憶部１２３にマナーモードが記憶されている時に、設定マナーモード通知信号を生成して無線通信ユニット１１０に送信する。  
【００２８】
また、制御部１２５は、設定モード記憶部１２３にＯＦＦモードが記憶されている時に、ＯＦＦモード通知信号を生成して無線通信ユニット１１０に送信する。
【００２９】
送受信部１２２は、無線通信ユニット１１０からの情報をアンテナ１１１を介して受けて制御部１２５に与える。
【００３０】
ＩＤ記憶部１２４は、識別コード信号を予め記憶している。この識別コード信号は、携帯端末装置１３０を特定する自己識別記号（ＩＤ）と、当該携帯端末装置１３０と対応する無線通信ユニット１１０を特定する相手方の識別記号とを有している。
【００３１】
制御部１２５は、無線通信ユニット１１０からサーチ信号を受けた時に当該サーチ信号とＩＤ記憶部の識別コード信号と照合して当該サーチ信号が自己のものである場合に当該サーチ信号を受けたことを示す応答信号（確認コード信号）を一定の強度で送信する。また、制御部１２５は、無線通信ユニット１１０から認証信号を受けた時に、当該認証信号を復号化し、生成した乱数を認証信号として返信する。ここで、当該認証信号（識別コード信号）の受信レベルが所定値より大きい時に使用制限を解除する使用制限解除信号を制御部１３２及び無線通信ユニット１１０に送信し、かつ、前記認証信号（識別コード信号）の受信レベルが前記所定値以下となった時に使用制限解除信号の送信を停止する。
【００３２】
電池残量検出部１２６は、電池１３００の残量を検出して電池残量検出値を生成して制御部１２５に与える。制御部１２５は、電池残量検出部１２６からの電池残量検出値を受ける。制御部１２５は、電池残量検出値が所定の閾値以下である時に電池残量減少信号を生成して送受信部１２２及びアンテナ１２１を介して無線通信ユニット１１０に一定間隔で送信する。
【００３３】
また、制御部１２５は、電池残量検出値が所定の閾値以下である時に電源ＯＦＦ信号を生成して携帯端末装置１３０の制御部１３３に与える。制御部１３３は、制御部１２５からの電源ＯＦＦ信号を受けると電池１３００からの携帯端末装置１３０への電力の供給を停止させる。
【００３４】
無線通信ユニット１１０が使用制限解除信号を受けている時において、制御部１１２３は、無線認証部１２０からのモードの情報を受けた時には当該モードの情報に応じた選択信号を生成して選択部１１３に与える。この選択部１１２３は、制御部１１２３からの選択信号に基づいて警報通知部１１４のスピ−カ１１４１、振動部１１４２及び表示部１１４３のいずれかを選択する。
【００３５】
一方、制御部１３３は、無線認証部１２０からの使用制限解除信号を受けなくなった時に携帯端末装置１３０の使用を制限する、すなわち、携帯端末装置１３０の機能の一部または全ての使用を不可能とする。また、無線通信ユニット１１０は、携帯端末装置１３０に付設された無線認証部１２０からの使用制限解除信号を受けなくなった時に警報をユーザに通知する。この時に、無線通信ユニット１１０の制御部１１２３は、選択部１１２３に選択信号により選択した警報通知部１１４のスピ−カ１１４１、振動部１１４２及び表示部１１４３のいずれかを動作させて警報をユーザに通知させる。
【００３６】
この場合に、携帯端末装置１３０がマナーモードに設定されている時には、無線通信ユニット１１０における警報通知部１１４がマナーモードに設定される、すなわち、振動部１１４２及び表示部１１４３のいずれかを動作させて警報をユーザに通知させる。また、携帯端末装置１３０がＯＦＦモードに設定されている時にも、無線通信ユニット１１０における警報通知部１１４がマナーモードに設定される、すなわち、振動部１１４２及び表示部１１４３のいずれかを動作させて警報をユーザに通知させる。
【００３７】
なお、本発明の一実施の形態においては、無線通信ユニット１１０が通常モード及びマナーモードを携帯端末装置１３０の表示部１３７に表示するように構成してもよい。また、本発明の一実施の形態においては、無線通信ユニット１１０の通常モード及びマナーモードのいずれかがマナーモード及び通常モードに変更された時に携帯端末装置１３０のスピーカ１３５を駆動して音声で通知するように構成してもよい。
【００３８】
無線通信ユニット１１０の制御部１１２３は、携帯端末装置１３０に付設された無線認証部１２０からの電池残量減少信号をアンテナ１１１及び送受信部１１２１を介して受けた時には、警報通知部１１４の警報通知モードをマナーモードに設定する。また、制御部１１２３は、携帯端末装置１３０に付設された無線認証部１２０からの電池残量減少信号を一定時間以上において受けない時には、電池残量が所定の閾値より大きいため、警報通知部１１４の警報通知モードを通常モードに設定する。
【００３９】
次に、本発明の一実施の形態に係る機器の使用制限システム１００の動作の具体的な１例について、図１及び図２を参照して説明する。
【００４０】
図２は、本発明の一実施の形態に係る機器の使用制限システム１００の動作の具体的な１例を説明するための図である。
【００４１】
図２に示すように、無線認証部１２０の電池残量が少なくなって所定の閾値以下となったとする（ステップＳＴ２０１）。この時に、無線通信ユニット１１０から送信された認証信号ＮＳ１を無線認証部１２０が受信したとすると、無線認証部１２０は、認証信号ＮＳ２に制御信号Ｓ１を付加した信号を無線通信ユニット１１０に送信する。この場合の制御信号Ｓ１は、電池残量減少信号を含んでいる。次に、無線通信ユニット１１０は、電池残量減少信号を受けたため、警報をＯＦＦとする（ステップＳＴ２０２）、すなわち、警報報知モードをマナーモードに設定する。
【００４２】
次に、無線認証部１２０は、電池切れ表示指示信号（電池残量減少信号）を携帯端末装置１３０の制御部１３３に送り、この制御部１３３は電池切れ表示指示信号を受けた時に表示部１３７に電池切れ表示をさせる(ステップＳＴ２０３)。なお、電池切れ表示と共に無線通信ユニットの警報通知モードをＯＦＦにしたことを表示しても良い。
【００４３】
次に、無線認証部１２０は、電源ＯＦＦ信号を携帯端末装置１３０の制御部１３３に与えて、この制御部１３３は電源ＯＦＦ信号を受けると電池１３００からの携帯端末装置１３０への電力の供給を停止（ＯＦＦ）させる（ステップＳＴ２０４）。
【００４４】
次に、携帯端末装置１３０の電池が充電などにより起電力が回復(所定の閾値以上になった)したとする（ステップＳＴ２０５）。この場合に無線通信ユニット１１０が認証信号ＮＳ３を無線認証部１２０に送信すると、無線認証部１２０は認証信号ＮＳ４に制御信号Ｓ２を付加した信号を無線通信ユニット１１０に送信する。この場合の制御信号Ｓ２は、電池残量減少信号を含んでいない。無線通信ユニット１１０は、電池残量減少信号を一定時間以上において受けないため、警報をＯＦＦ解除する（ステップＳＴ２０６）、すなわち、警報報知モードを通常モードに設定する。
【００４５】
本発明の第１の態様に係る機器の使用制限システムは、第１の送信器と第１の受信器とを有し前記第１の送信器が識別コード信号を一定の強度で送信する無線通信ユニットと、対象機器に付設され第２の受信器と第２の送信器とを有する無線認証部と、を具備し、前記無線認証部は、前記無線通信ユニットからの前記識別コード信号が自己のものである場合に前記第２の送信器が前記識別コード信号を受けたことを示す確認コード信号を一定の強度で送信すると共に前記識別コード信号の受信レベルが所定値より大きい時に使用制限を解除する使用制限解除信号を前記対象機器及び前記無線通信ユニットに送信し、かつ、前記識別コード信号の受信レベルが前記所定値以下となった時に前記使用制限解除信号の送信を停止し、前記無線通信ユニットは、前記無線認証部からの前記使用制限解除信号を受けなくなった時に警報を通知する機器の使用制限システムにおいて、前記無線認証部は、前記対象機器に電力を供給する電池の残量を検出して電池残量検出値を生成する電池残量検出手段と、前記電池残量検出値が所定の閾値以下である時に電池残量減少信号を前記無線通信ユニットに通知する電池残量減少通知手段と、前記電池残量検出値が前記所定の閾値以下である時に前記電池からの前記対象機器への電力の供給を停止する電力供給停止手段と、を具備し、前記無線通信ユニットは、前記電池残量減少信号を受けた時に前記警報を音で通知しないで振動又は光で通知するマナーモードを設定するマナーモード設定手段と、前記電池残量減少信号を所定時間以上において受けない時に前記マナーモードを解除して前記警報を音で通知する通常モードを設定するマナーモード解除手段と、を具備する構成を採る。
【００４６】
この構成によれば、無線認証部は、対象機器に電力を供給する電池の残量を検出して電池残量検出値を生成し、前記電池残量検出値が所定の閾値以下である時に電池残量減少信号を無線通信ユニットに通知し、前記電池残量検出値が前記所定の閾値以下である時に前記電池からの前記対象機器への電力の供給を停止し、前記無線通信ユニットは、前記電池残量減少信号を受けた時に前記警報を音で通知しないで振動又は光で通知するマナーモードを設定するため、前記対象機器に付設された前記無線認証部と前記無線認証ユニットが無線認証を行っている時に、前記対象機器の電池の残量が少なくなって回路に供給される電圧が低下した場合に前記無線認証ユニットによる警報の音の発生を停止することができる。
【００４７】
本発明の第２の態様に係る機器の使用制限方法は、第１の送信器と第１の受信器とを有し前記第１の送信器が識別コード信号を一定の強度で送信する無線通信ユニットと、対象機器に付設され第２の受信器と第２の送信器とを有する無線認証部と、を具備し、前記無線認証部は、前記無線通信ユニットからの前記識別コード信号が自己のものである場合に前記第２の送信器が前記識別コード信号を受けたことを示す確認コード信号を一定の強度で送信すると共に前記識別コード信号の受信レベルが所定値より大きい時に使用制限を解除する使用制限解除信号を前記対象機器及び前記無線通信ユニットに送信し、かつ、前記識別コード信号の受信レベルが前記所定値以下となった時に前記使用制限解除信号の送信を停止し、前記無線通信ユニットは、前記無線認証部からの前記使用制限解除信号を受けなくなった時に警報を通知する機器の使用制限システムにおける機器の使用制限方法であって、前記無線認証部が前記対象機器に電力を供給する電池の残量を検出して電池残量検出値を生成する電池残量検出ステップと、前記電池残量検出値が所定の閾値以下である時に前記無線認証部が電池残量減少信号を前記無線通信ユニットに通知する電池残量減少通知ステップと、前記電池残量検出値が前記所定の閾値以下である時に前記電池からの前記対象機器への電力の供給を停止する電力供給停止ステップと、前記無線通信ユニットが前記電池残量減少信号を受けた時に前記警報を音で通知しないで振動又は光で通知するマナーモードを設定するマナーモード設定ステップと、前記無線通信ユニットが前記電池残量減少信号を所定時間以上において受けない時に前記マナーモードを解除して前記警報を音で通知する通常モードを設定するマナーモード解除ステップと、を具備するようにした。
【００４８】
この方法によれば、無線認証部は、対象機器に電力を供給する電池の残量を検出して電池残量検出値を生成し、前記電池残量検出値が所定の閾値以下である時に電池残量減少信号を無線通信ユニットに通知し、前記電池残量検出値が前記所定の閾値以下である時に前記電池からの前記対象機器への電力の供給を停止し、前記無線通信ユニットは、前記電池残量減少信号を受けた時に前記警報を音で通知しないで振動又は光で通知するマナーモードを設定するため、前記対象機器に付設された前記無線認証部と前記無線認証ユニットが無線認証を行っている時に、前記対象機器の電池の残量が少なくなって回路に供給される電圧が低下した場合に前記無線認証ユニットによる警報の音の発生を停止することができる。
【産業上の利用可能性】
【００４９】
本発明は、対象機器に付設された無線認証部と無線認証ユニットが無線認証を行っている時に、対象機器の電池の残量が少なくなって回路に供給される電圧が低下した場合に無線認証ユニットによる警報の音の発生を停止することができる効果を有し、機器の使用制限システム及び使用制限方法に有用である。
【図面の簡単な説明】
【００５０】
【図１】本発明の一実施の形態に係る機器の使用制限システムの構成を示すブロック図
【図２】本発明の一実施の形態に係る機器の使用制限システムの動作の１例を説明するための図
【符号の説明】
【００５１】
１００  機器の使用制限システム
１１０  無線通信ユニット（キー通信ユニット）
１２０  無線認証部
１３０  携帯端末装置
１１１  アンテナ
１１２  無線認証部
１１３  選択部
１１４  警報通知部
１１５  電池
１１２１  送受信部
１１２２  ＩＤ記憶部
１１２３  制御部
１１４１  スピーカ
１１４２  振動部
１１４３  表示部
１２１  アンテナ
１２２  送受信部
１２３  設定モード記憶部
１２４  ＩＤ記憶部
１２５  制御部
１２６  電池残量検出部
１３１  アンテナ
１３２  送受信部
１３３  制御部
１３４  操作入力部
１３５  スピーカ
１３６  振動部
１３７  表示部
１３８  マイクロフォン
１３９  送信データ生成部
１３００  電池
【図１】
2007019749.tif 000003
【図２】
2007019749.tif 000004